【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
吸湿率が０．５％以上のポリマーを含有する支持体と、
互いに複屈折率が異なる第一位相差領域と第二位相差領域を有し、前記第一位相差領域と前記第二位相差領域が１ラインごとに交互にパターン化された光学異方性層とを有する光学フィルムであって、
前記支持体が、下記式（Ｉ）を満たす支持体であることを特徴とする光学フィルム。
式（Ｉ）：  │Ｒｅ（５５０）│＜５、かつ、｜Ｒｔｈ（５５０）｜＜２０
［Ｒｅ（λ）及びＲｔｈ（λ）は、それぞれ波長がλ（単位：ｎｍ）であるときの面内方向及び膜厚方向のレターデーション値（単位：ｎｍ）を表す。］
【請求項２】
前記ポリマーが、主鎖又は側鎖に、水酸基、アミド、イミド、及びエステルから選ばれる化学構造を含むポリマーであることを特徴とする請求項１に記載の光学フィルム。
【請求項３】
前記ポリマーが、セルロースエステルであることを特徴とする請求項１又は２に記載の光学フィルム。
【請求項４】
前記支持体の音速最大方向と平行な方向における、熱膨張係数（α）が５．０×１０−６〜５００×１０−６／℃であり、湿度膨張係数（β）が３．０×１０−６〜５００×１０−６／％ＲＨであることを特徴とする請求項１〜３のいずれか一項に記載の光学フィルム。
【請求項５】
前記支持体の、音速が最大となる方向の弾性率（Ｅ１）が５〜５０ＧＰａであることを特徴とする請求項４に記載の光学フィルム。
【請求項６】
前記支持体が、１０％以上延伸された支持体であることを特徴とする請求項１〜５のいずれか一項に記載の光学フィルム。
【請求項７】
前記支持体が、搬送方向への延伸、搬送方向と一致しない方向への延伸、又はこれらを組合せた延伸を施された支持体であることを特徴とする請求項６に記載の光学フィルム。
【請求項８】
前記パターン化された光学異方性層と支持体との全体のＲｅ（５５０）が１１０〜１６５ｎｍであり、前記第１位相差領域と前記第２位相差領域の遅相軸が略直交していることを特徴とする請求項１〜７のいずれか一項に記載の光学フィルム。
【請求項９】
請求項１〜８のいずれか一項に記載の光学フィルムと、偏光膜とを含み、前記光学フィルムと偏光膜とが粘着層を介して積層されていることを特徴とする偏光板。
【請求項１０】
少なくとも一方に電極を有し対向配置された一対の基板と、
該一対の基板間の液晶層と、
該液晶層を挟んで配置され、偏光膜と該偏光膜の少なくとも外側の面に設けられた保護膜とを有し、光源側に配置される第一偏光板と、視認側に配置される第二偏光板とを有し、
更に、第二偏光板の視認側に、偏光膜と少なくとも一枚の保護膜とを有する第三偏光板を通じて画像を視認する液晶表示装置において、
請求項９に記載の偏光板が第二偏光板である液晶表示装置。
【手続補正２】
【補正対象書類名】明細書
【補正対象項目名】００１６
【補正方法】変更
【補正の内容】
【００１６】
本発明者は、上記課題を解決するために鋭意研究を重ねた結果、セルロースアシレートから構成されるフィルムを１方向に延伸し、１方向の熱膨張係数及び湿度膨張係数を小さくすることにより、特定方向の寸法変化を抑えることができることを見出した。
上記課題は、以下の手段により解決される。
＜１＞
吸湿率が０．５％以上のポリマーを含有する支持体と、
互いに複屈折率が異なる第一位相差領域と第二位相差領域を有し、前記第一位相差領域と前記第二位相差領域が１ラインごとに交互にパターン化された光学異方性層とを有する光学フィルムであって、
前記支持体が、下記式（Ｉ）を満たす支持体であることを特徴とする光学フィルム。
式（Ｉ）：  │Ｒｅ（５５０）│＜５、かつ、｜Ｒｔｈ（５５０）｜＜２０
［Ｒｅ（λ）及びＲｔｈ（λ）は、それぞれ波長がλ（単位：ｎｍ）であるときの面内方向及び膜厚方向のレターデーション値（単位：ｎｍ）を表す。］
＜２＞
前記ポリマーが、主鎖又は側鎖に、水酸基、アミド、イミド、及びエステルから選ばれる化学構造を含むポリマーであることを特徴とする＜１＞に記載の光学フィルム。
＜３＞
前記ポリマーが、セルロースエステルであることを特徴とする＜１＞又は＜２＞に記載の光学フィルム。
＜４＞
前記支持体の音速最大方向と平行な方向における、熱膨張係数（α）が５．０×１０−６〜５００×１０−６／℃であり、湿度膨張係数（β）が３．０×１０−６〜５００×１０−６／％ＲＨであることを特徴とする＜１＞〜＜３＞のいずれか一項に記載の光学フィルム。
＜５＞
前記支持体の、音速が最大となる方向の弾性率（Ｅ１）が５〜５０ＧＰａであることを特徴とする＜４＞に記載の光学フィルム。
＜６＞
前記支持体が、１０％以上延伸された支持体であることを特徴とする＜１＞〜＜５＞のいずれか一項に記載の光学フィルム。
＜７＞
前記支持体が、搬送方向への延伸、搬送方向と一致しない方向への延伸、又はこれらを組合せた延伸を施された支持体であることを特徴とする＜６＞に記載の光学フィルム。
＜８＞
前記パターン化された光学異方性層と支持体との全体のＲｅ（５５０）が１１０〜１６５ｎｍであり、前記第１位相差領域と前記第２位相差領域の遅相軸が略直交していることを特徴とする＜１＞〜＜７＞のいずれか一項に記載の光学フィルム。
＜９＞
＜１＞〜＜８＞のいずれか一項に記載の光学フィルムと、偏光膜とを含み、前記光学フィルムと偏光膜とが粘着層を介して積層されていることを特徴とする偏光板。
＜１０＞
少なくとも一方に電極を有し対向配置された一対の基板と、
該一対の基板間の液晶層と、
該液晶層を挟んで配置され、偏光膜と該偏光膜の少なくとも外側の面に設けられた保護膜とを有し、光源側に配置される第一偏光板と、視認側に配置される第二偏光板とを有し、
更に、第二偏光板の視認側に、偏光膜と少なくとも一枚の保護膜とを有する第三偏光板を通じて画像を視認する液晶表示装置において、
＜９＞に記載の偏光板が第二偏光板である液晶表示装置。
本発明は、上記＜１＞〜＜１０＞に関するものであるが、その他の事項（たとえば下記（１）〜（１２）に記載した事項など）についても参考のために記載した。
（１）
吸湿率が０．５％以上のポリマーを含有する支持体と、
互いに複屈折率が異なる第一位相差領域と第二位相差領域を有し、前記第一位相差領域と前記第二位相差領域が１ラインごとに交互にパターン化された光学異方性層とを有する光学フィルム。
（２）
前記ポリマーが、主鎖又は側鎖に、水酸基、アミド、イミド、及びエステルから選ばれる化学構造を含むポリマーであることを特徴とする上記（１）に記載の光学フィルム。
（３）
前記ポリマーが、セルロースエステルであることを特徴とする上記（１）又は（２）に記載の光学フィルム。
（４）
前記パターンの長辺の方向と、前記支持体の音速が最大となる方向とが略直交であることを特徴とする上記（１）〜（３）のいずれか１つに記載の光学フィルム。
（５）
前記支持体の音速最大方向と平行な方向における、熱膨張係数（α）が５．０×１０−６〜５００×１０−６／℃であり、湿度膨張係数（β）が３．０×１０−６〜５００×１０−６／％ＲＨであることを特徴とする上記（１）〜（４）のいずれか１つに記載の光学フィルム。
（６）
前記支持体の、音速が最大となる方向の弾性率（Ｅ１）が５〜５０ＧＰａであることを特徴とする上記（５）に記載の光学フィルム。
（７）
前記支持体が、１０％以上延伸された支持体であることを特徴とする上記（１）〜（６）のいずれか１つに記載の光学フィルム。
（８）
前記支持体が、搬送方向への延伸、搬送方向と一致しない方向への延伸、又はこれらを組合せた延伸を施された支持体であることを特徴とする上記（７）に記載の光学フィルム。
（９）
前記支持体が、下記式（Ｉ）を満たす支持体であることを特徴とする上記（１）〜（８）のいずれか１つに記載の光学フィルム。
式（Ｉ）：  │Ｒｅ（５５０）│＜５、かつ、｜Ｒｔｈ（５５０）｜＜２０
［Ｒｅ（λ）及びＲｔｈ（λ）は、それぞれ波長がλ（単位：ｎｍ）であるときの面内方向及び膜厚方向のレターデーション値（単位：ｎｍ）を表す。］
（１０）
前記パターン化された光学異方性層と支持体との全体のＲｅ（５５０）が１１０〜１６５ｎｍであり、前記第１位相差領域と前記第２位相差領域の遅相軸が略直交していることを特徴とする上記（１）〜（９）のいずれか１つに記載の光学フィルム。
（１１）
上記（１）〜（１０）のいずれか１つに記載の光学フィルムと、偏光膜とを含み、前記光学フィルムと偏光膜とが粘着層を介して積層されていることを特徴とする偏光板。
（１２）
少なくとも一方に電極を有し対向配置された一対の基板と、
該一対の基板間の液晶層と、
該液晶層を挟んで配置され、偏光膜と該偏光膜の少なくとも外側の面に設けられた保護膜とを有し、光源側に配置される第一偏光板と、視認側に配置される第二偏光板とを有し、
更に、第二偏光板の視認側に、偏光膜と少なくとも一枚の保護膜とを有する第三偏光板を通じて画像を視認する液晶表示装置において、
上記（１１）に記載の偏光板が第二偏光板である液晶表示装置。